【手続補正書】
【提出日】平成28年2月19日(2016.2.19)
【手続補正１】
【補正対象書類名】特許請求の範囲
【補正対象項目名】全文
【補正方法】変更
【補正の内容】
【特許請求の範囲】
【請求項１】
ユーザ装置（ＵＥ）によって実行される無線通信方法であって、
アイドルモードシグナリングリダクション（ＩＳＲ）がアクティブである間に第１のネットワークから第２のネットワークへの無線アクセス技術（ＲＡＴ）間モビリティ手順を実施することと、
前記ＲＡＴ間モビリティ手順の完了に関連してＩＳＲをローカルで非アクティブ化することと、
前記第２のネットワークにおいて位置管理手順を開始することと、を備え、
前記第１のネットワークは、ＧＳＭ（登録商標）／Ｅｄｇｅ無線アクセスネットワーク（ＧＥＲＡＮ）又はエボルブドユニバーサル移動体通信システム地上無線アクセスネットワーク（Ｅ−ＵＴＲＡＮ）のうちの一方を備え、前記第２のネットワークは、ＧＥＲＡＮ又はＥ−ＵＴＲＡＮのうちの他方を備える、方法。
【請求項２】
前記第１のネットワークからモビリティコマンドを受信することをさらに備え、前記ＲＡＴ間モビリティ手順は、前記モビリティコマンドに応答して実施される、請求項１に記載の方法、
または、前記ＵＥは、接続モードにあり、
前記第１のネットワークのモビリティ状態を検出することと、
前記ＵＥによって、前記モビリティ状態を検出することに応答して前記ＲＡＴ間モビリティ手順を開始することと、をさらに備える、請求項１に記載の方法、
または、前記位置管理手順を開始することは、位置に基づく更新メッセージを送信することを備え、
特に、前記位置管理手順を開始することは、ＩＳＲの前記ローカルでの非アクティブ化によってトリガされる、請求項１に記載の方法、
または、前記第２のネットワークにおいて前記位置管理手順を開始することは、前記第１のネットワークにおいて前記ＵＥと関連付けられたリソースの早期解放を容易にする、 または、前記ＲＡＴ間モビリティ手順は、前記第１のネットワークから前記第２のネットワークへの回線交換フォールバック（ＣＳＦＢ）がない状態で実施される、
または、ＩＳＲをローカルで非アクティブ化することは、前記第１及び第２のネットワークが同じルーティングエリア内にあると決定されたときに行われる、請求項１に記載の方法。
【請求項３】
前記第１のネットワークは、ＬＴＥネットワークを備え、前記第２のネットワークは、ＧＳＭネットワークを備え、
前記ＬＴＥネットワークの接続モードにある間にセル変更命令（ＣＣＯ）を受信することと、
前記ＣＣＯに応答して前記ＬＴＥネットワークから前記ＧＳＭネットワークへの前記モビリティ手順を実施することと、をさらに備える請求項１に記載の方法。
【請求項４】
前記第１のネットワークは、ＧＳＭネットワークを備え、前記第２のネットワークは、ＬＴＥネットワークを備え、
前記ＧＳＭネットワークの接続された状態においてセル変更命令（ＣＣＯ）を受信することと、
前記ＣＣＯに応答して前記ＧＳＭネットワークから前記ＬＴＥネットワークへの前記モビリティ手順を実施することと、をさらに備え、
前記方法は、特に、前記位置管理手順を開始することは、ＩＳＲをローカルで非アクティブ化することに応答して前記ＬＴＥネットワークにおいてトラッキングエリア更新（ＴＡＵ）を送信することを備える、
または、前記方法は、特に、
前記ＧＳＭネットワークに関するモビリティ状態を検出することと、
前記ＵＥによって、前記モビリティ状態を検出することに応答してセル再選択手順を開始することと、をさらに備え、
前記方法はさらに、特に、前記第１のネットワークは、エボルブドユニバーサル移動体通信システム地上無線アクセスネットワーク（Ｅ−ＵＴＲＡＮ）を備え、前記第２のネットワークは、ＧＳＭ／Ｅｄｇｅ無線アクセスネットワーク（ＧＥＲＡＮ）を備え、
前記ＲＡＴ間モビリティ手順は、ＣＳフォールバック用でない前記第１のネットワークから受信されたセル変更命令（ＣＣＯ）に応答して実施され、
さらに、特に、前記ＵＥは、前記Ｅ−ＵＴＲＡＮと接続モードであり、
または、さらに、特に、位置管理手順を開始することは、前記ＩＳＲを非アクティブ化した後にルーティングエリア更新（ＲＡＵ）要求を送信することをさらに備え、
または、さらに、特に、前記位置管理手順を開始することは、セル更新メッセージ又はセル通知メッセージを送信することを含む、請求項１に記載の方法。
【請求項５】
前記第１のネットワークは、ＧＳＭ／Ｅｄｇｅ無線アクセスネットワーク（ＧＥＲＡＮ）を備え、前記第２のネットワークは、エボルブドユニバーサル移動体通信システム地上無線アクセスネットワーク（Ｅ−ＵＴＲＡＮ）を備え、
前記方法は特に、
前記ＲＡＴ間モビリティ手順は、前記第１のネットワークから受信されたセル変更命令（ＣＣＯ）に応答して実施され、
位置管理手順を開始することは、トラッキングエリア更新（ＴＡＵ）要求を送信することを備え、
または、前記方法は、特に、
前記ＵＥは、前記ＧＥＲＡＮにおいてパケット転送モード（ＰＴＭ）で接続され、
前記ＲＡＴ間モビリティ手順は、ローカルで開始されたセル再選択に応答して実施され、
位置管理手順を開始することは、トラッキングエリア更新（ＴＡＵ）要求を送信することを備える、請求項１に記載の方法。
【請求項６】
前記第１のネットワークは、エボルブドユニバーサル移動体通信システム地上無線アクセスネットワーク（Ｅ−ＵＴＲＡＮ）を備え、前記第２のネットワークは、ＧＳＭ／Ｅｄｇｅ無線アクセスネットワーク（ＧＥＲＡＮ）を備え、
前記モビリティ手順は、回線交換（ＣＳ）フォールバックに関して開始され、
前記方法は特に、
前記第１のネットワークから前記第２のネットワークへの移動が失敗したかどうかを決定することと、
前記移動が失敗したと決定されたときにＣＳ能力を有するＲＡＴを自律的に再選択することと、をさらに備える、
または、前記方法は特に、
前記ＧＥＲＡＮにおいて低層送信許可を取得することと、
接続管理サービス要求、ページング応答、及び位置更新のうちの１つ以上をモバイル交換センターに送信することと、をさらに備える、請求項１に記載の方法。
【請求項７】
前記第２のネットワークで送信するためにデータが入手可能であるかどうかを決定することと、
データが入手可能でないと決定されたときにパケットネットワークでの送信のためのデータを生成することと、
前記生成されたデータを送信するために前記第２のネットワークの基地局から許可を入手するためのアップリンク信号を送信することと、をさらに備え、
前記方法は特に、前記アップリンク信号を送信することは、チャネル要求を送信することを備え、
または、前記方法は特に、前記位置管理手順を開始することは、サービング汎用パケット無線サービスサポートノード（ＳＧＳＮ）にＲＡＵ要求を送信するか又はモビリティ管理エンティティにＴＡＵ要求を送信することを備え、
または、前記方法は特に前記位置管理手順を開始することは、セル更新メッセージ又はセル通知メッセージをＳＧＳＮに送信することを備える、請求項１に記載の方法。
【請求項８】
無線通信のための装置であって、
アイドルモードシグナリングリダクション（ＩＳＲ）がアクティブである間に第１のネットワークから第２のネットワークへの無線アクセス技術（ＲＡＴ）間モビリティ手順を実施するための手段と、
前記ＲＡＴ間モビリティ手順の完了に関連してＩＳＲをローカルで非アクティブ化するための手段と、
前記第２のネットワークにおいて位置管理手順を開始するための手段と、を備え、
前記第１のネットワークは、ＧＳＭ（登録商標）／Ｅｄｇｅ無線アクセスネットワーク（ＧＥＲＡＮ）又はエボルブドユニバーサル移動体通信システム地上無線アクセスネットワーク（Ｅ−ＵＴＲＡＮ）のうちの一方を備え、前記第２のネットワークは、ＧＥＲＡＮ又はＥ−ＵＴＲＡＮのうちの他方を備える、装置。
【請求項９】
前記第１のネットワークからモビリティコマンドを受信するための手段をさらに備え、前記ＲＡＴ間モビリティ手順は前記モビリティコマンドに応答して実施される、請求項８に記載の装置、
または、前記ＵＥは、接続モードにあり、
前記第１のネットワークのモビリティ状態を検出するための手段と、
前記ＵＥによって、前記モビリティ状態を検出することに応答して前記ＲＡＴ間モビリティ手順を開始するための手段と、をさらに備える、請求項８に記載の装置
または、前記位置管理手順を開始するための前記手段は、位置に基づく更新メッセージを送信するように構成され、
特に、前記位置管理手順を開始するための前記手段は、ＩＳＲの前記ローカルでの非アクティブ化によってトリガされる、請求項８に記載の装置
または、前記第２のネットワークにおいて前記位置管理手順を開始するための前記手段は、前記第１のネットワークにおいて前記ＵＥと関連付けられたリソースの早期解放を容易にする、請求項８に記載の装置
または、前記ＲＡＴ間モビリティ手順を実施するための前記手段は、前記第１のネットワークから前記第２のネットワークへの回線交換フォールバック（ＣＳＦＢ）がない状態で実施するように構成される、請求項８に記載の装置
または、ＩＳＲをローカルで非アクティブ化するための前記手段は、前記第１及び第２のネットワークが同じルーティングエリア内にあると決定されたときに実施するように構成される、請求項８に記載の装置。
【請求項１０】
前記第１のネットワークは、ＬＴＥネットワークを備え、前記第２のネットワークは、ＧＳＭネットワークを備え、
前記ＬＴＥネットワークの接続モードにある間にセル変更命令（ＣＣＯ）を受信するための手段と、
前記ＣＣＯに応答して前記ＬＴＥネットワークから前記ＧＳＭネットワークへの前記モビリティ手順を実施するための手段と、をさらに備える請求項８に記載の装置。
【請求項１１】
前記第１のネットワークは、ＧＳＭネットワークを備え、前記第２のネットワークは、ＬＴＥネットワークを備え、
前記ＧＳＭネットワークの接続モードにある間にセル変更命令（ＣＣＯ）を受信するための手段と、
前記ＣＣＯに応答して前記ＧＳＭネットワークから前記ＬＴＥネットワークへの前記モビリティ手順を実施するための手段と、をさらに備え、
特に、前記位置管理手順を開始するための前記手段は、前記ＩＳＲがローカルで非アクティブ化されることに応答して前記ＬＴＥネットワークにおいてトラッキングエリア更新（ＴＡＵ）を送信するように構成される、
または、前記装置は特に、
前記ＧＳＭネットワークに関するモビリティ状態を検出するための手段と、
前記ＵＥによって、前記モビリティ状態を検出することに応答してセル再選択手順を開始するための手段と、をさらに備え、
さらに、特に、
前記第１のネットワークは、エボルブドユニバーサル移動体通信システム地上無線アクセスネットワーク（Ｅ−ＵＴＲＡＮ）を備え、前記第２のネットワークは、ＧＳＭ／Ｅｄｇｅ無線アクセスネットワーク（ＧＥＲＡＮ）を備え、
ＲＡＴ間モビリティ手順を実施するための前記手段は、ＣＳフォールバック用でない前記第１のネットワークから受信されたセル変更命令（ＣＣＯ）に応答して実施するように構成され、
さらに、特に、前記ＵＥは、前記Ｅ−ＵＴＲＡＮと接続モードであるように構成可能である、
または、さらに、特に、位置管理手順を開始するための前記手段は、前記ＩＳＲの非アクティブ化後にルーティングエリア更新（ＲＡＵ）要求を送信するように構成される、
または、さらに、特に、前記位置管理手順を開始するための前記手段は、セル更新メッセージ又はセル通知メッセージを送信するように構成される、請求項８に記載の装置。
【請求項１２】
前記第１のネットワークは、ＧＳＭ／Ｅｄｇｅ無線アクセスネットワーク（ＧＥＲＡＮ）を備え、前記第２のネットワークは、エボルブドユニバーサル移動体通信システム地上無線アクセスネットワーク（Ｅ−ＵＴＲＡＮ）を備え、
特に、
ＲＡＴ間モビリティ手順を実施するための前記手段は、前記第１のネットワークから受信されたセル変更命令（ＣＣＯ）に応答して実施するように構成され、
位置管理手順を開始するための前記手段は、トラッキングエリア更新（ＴＡＵ）要求を送信するように構成される、
または、特に、
前記ＵＥは、前記ＧＥＲＡＮにおいてパケット転送モード（ＰＴＭ）モードで接続するように構成され、
ＲＡＴ間モビリティ手順を実施するための前記手段は、ローカルで開始されたセル再選択に応答して実施するように構成され、
位置管理手順を開始するための前記手段は、トラッキングエリア更新（ＴＡＵ）要求を送信するように構成される、請求項８に記載の装置。
【請求項１３】
前記第１のネットワークは、エボルブドユニバーサル移動体通信システム地上無線アクセスネットワーク（Ｅ−ＵＴＲＡＮ）を備え、前記第２のネットワークは、ＧＳＭ／Ｅｄｇｅ無線アクセスネットワーク（ＧＥＲＡＮ）を備え、
前記モビリティ手順は、回線交換（ＣＳ）フォールバックに関して開始され、
前記装置は特に、
前記第１のネットワークから前記第２のネットワークへの移動が失敗したかどうかを決定するための手段と、
前記移動が失敗したと決定されたときにＣＳ能力を有するＲＡＴを自律的に再選択するための手段と、をさらに備え、
または、前記装置は特に、
前記ＧＥＲＡＮにおいて低層送信許可を取得するための手段と、
接続管理サービス要求、ページング応答、及び位置更新のうちの１つ以上をモバイル交換センターに送信するための手段と、をさらに備える、請求項８に記載の装置。
【請求項１４】
前記第２のネットワークで送信するためにデータが入手可能であるかどうかを決定するための手段と、
データが入手可能でないと決定されたときにパケットネットワークでの送信のためのデータを生成するための手段と、
前記生成されたデータを送信するために前記第２のネットワークの基地局から許可を入手するためのアップリンク信号を送信するための手段と、をさらに備え、
特に、前記アップリンク信号を送信するための前記手段は、チャネル要求を送信するように構成される、
または、特に、前記位置管理手順を開始するための前記手段は、サービング汎用パケット無線サービスサポートノード（ＳＧＳＮ）にＲＡＵ要求を送信するか又はモビリティ管理エンティティにＴＡＵ要求を送信するように構成される、
または、特に、前記位置管理手順を開始するための前記手段は、セル更新メッセージ又はセル通知メッセージをＳＧＳＮに送信するように構成される、請求項８に記載の装置。
【請求項１５】
コンピュータ上で実行されたとき、請求項１乃至７のうちのいずれか一項に記載のステップを行うための命令を備えるコンピュータによって読み取り可能な媒体。